(57)【要約】【課題】被撮影者の人数や位置に関係なく、良好な写真を作成することができる証明写真撮影装置を提供する。【解決手段】閃光を発光して当該光を被撮影者に照射する複数のストロボ２０ａと、複数のストロボ２０ａにより光が照射された被撮影者を撮影して画像データを生成するデジタルカメラ３０と、被撮影者の人数を入力するための操作部７０と、デジタルカメラ３０を制御して、被撮影者による操作部７０の操作により入力された被撮影者の人数に応じた所定の設定内容に関する設定値で、被撮影者を撮影させて画像データを生成させる撮影制御プログラム１６２を実行した制御部１１と、撮影制御プログラム１６２を実行した制御部１１により制御されたデジタルカメラ３０により生成された画像データに基づく写真を作成するプリンタ部８０と、を備えるよう構成した。【選択図】図２
2007322509.tif 000002
【特許請求の範囲】
【請求項１】
被撮影者の人数を入力するための入力手段と、
閃光を発光して当該光を前記被撮影者に照射する複数のストロボ発光手段と、
前記被撮影者を撮影して画像データを生成する撮影手段と、
前記撮影手段を制御して、前記入力手段により入力された前記被撮影者の人数に応じた所定の設定内容に関する設定値で、前記複数のストロボ発光手段により光が照射された前記被撮影者を撮影させて画像データを生成させる撮影制御手段と、
前記撮影制御手段により制御された前記撮影手段により生成された画像データに基づく写真を作成する作成手段と、
を備えることを特徴とする写真撮影装置。
【請求項２】
請求項１に記載の写真撮影装置において、
前記複数のストロボ発光手段をそれぞれ制御して、前記入力手段により入力された前記被撮影者の人数に応じた発光量で、閃光を発光させる発光制御手段を備え、
前記撮影制御手段は、前記撮影手段を制御して、前記入力手段により入力された前記被撮影者の人数に応じた所定の設定内容に関する設定値で、前記発光制御手段により制御された前記複数のストロボ発光手段により光が照射された前記被撮影者を撮影させて画像データを生成させることを特徴とする写真撮影装置。
【請求項３】
被撮影者の人数を入力するための入力手段と、
閃光を発光して当該光を前記被撮影者に照射する複数のストロボ発光手段と、
前記複数のストロボ発光手段をそれぞれ制御して、前記入力手段により入力された前記被撮影者の人数に応じた発光量で、閃光を発光させる発光制御手段と、
前記発光制御手段により制御された前記複数のストロボ発光手段により光が照射された前記被撮影者を撮影して画像データを生成する撮影手段と、
前記撮影手段により生成された画像データに基づく写真を作成する作成手段と、
を備えることを特徴とする写真撮影装置。
【請求項４】
閃光を発光して当該光を被撮影者に照射する複数のストロボ発光手段と、
前記被撮影者を撮影して画像データを生成する撮影手段と、
前記撮影手段を制御して、所定の設定内容に関する特定の設定値で、前記複数のストロボ発光手段により光が照射された前記被撮影者を撮影させて画像データを生成させる第１撮影制御手段と、
前記第１撮影制御手段により制御された前記撮影手段により生成された画像データを解析して、前記被撮影者の人数及び／又は位置を取得する解析手段と、
前記撮影手段を制御して、前記解析手段により取得された前記被撮影者の人数及び／又は位置に応じた前記所定の設定内容に関する設定値で、前記複数のストロボ発光手段により光が照射された前記被撮影者を撮影させて画像データを生成させる第２撮影制御手段と、
前記第２撮影制御手段により制御された前記撮影手段により生成された画像データに基づく写真を作成する作成手段と、
を備えることを特徴とする写真撮影装置。
【請求項５】
請求項４に記載の写真撮影装置において、
前記複数のストロボ発光手段をそれぞれ制御して、特定の発光量で、閃光を発光させる第１発光制御手段と、
前記複数のストロボ発光手段をそれぞれ制御して、前記解析手段により取得された前記被撮影者の人数及び／又は位置に応じた発光量で、閃光を発光させる第２発光制御手段と、
を備え、
第１撮影制御手段は、前記撮影手段を制御して、所定の設定内容に関する特定の設定値で、前記第１発光制御手段により制御された前記複数のストロボ発光手段により光が照射された前記被撮影者を撮影させて画像データを生成させ、
前記第２撮影制御手段は、前記撮影手段を制御して、前記解析手段により取得された前記被撮影者の人数及び／又は位置に応じた前記所定の設定内容に関する設定値で、前記第２発光制御手段により制御された前記複数のストロボ発光手段により光が照射された前記被撮影者を撮影させて画像データを生成させることを特徴とする写真撮影装置。
【請求項６】
閃光を発光して当該光を被撮影者に照射する複数のストロボ発光手段と、
前記複数のストロボ発光手段をそれぞれ制御して、特定の発光量で、閃光を発光させる第１発光制御手段と、
前記被撮影者を撮影して画像データを生成する撮影手段と、
前記撮影手段を制御して、前記第１発光制御手段により制御された前記複数のストロボ発光手段により光が照射された前記被撮影者を撮影させて画像データを生成させる第１撮影制御手段と、
前記第１撮影制御手段により制御された前記撮影手段により生成された画像データを解析して、前記被撮影者の人数及び／又は位置を取得する解析手段と、
前記複数のストロボ発光手段をそれぞれ制御して、前記解析手段により取得された前記被撮影者の人数及び／又は位置に応じた発光量で、閃光を発光させる第２発光制御手段と、
前記撮影手段を制御して、前記第２発光制御手段により制御された前記複数のストロボ発光手段により光が照射された前記被撮影者を撮影させて画像データを生成させる第２撮影制御手段と、
前記第２撮影制御手段により制御された前記撮影手段により生成された画像データに基づく写真を作成する作成手段と、
を備えることを特徴とする写真撮影装置。
【発明の詳細な説明】
【技術分野】
【０００１】
本発明は、写真撮影装置に関する。
【背景技術】
【０００２】
従来、撮影室内で被撮影者の顔を撮影して、当該被撮影者の証明写真を作成する証明写真撮影装置が知られている。
当該証明写真撮影装置では、例えば、作成する写真が証明写真に適するように、被撮影者の顔を撮影して生成した画像データに対して、濃度、色バランス、明るさ、彩度、肌色領域の色等の補正を施すようになっている（例えば、特許文献１参照）。
【０００３】
近年、証明写真撮影装置には、複数の被撮影者を撮影する、ポーズをとった被撮影者を撮影する等のニーズがある。
【特許文献１】特開２００１−１８６３２３号公報
【発明の開示】
【発明が解決しようとする課題】
【０００４】
しかしながら、証明写真撮影装置においては、例えば、１人の被撮影者が特定位置に顔を合わせた状態で撮影した場合に良好な写真が作成できるよう、カメラの所定の設定内容に関する設定値やストロボからの配光などが設計されているため、複数の被撮影者を撮影したり、特定位置から顔がずれてしまった被撮影者を撮影すると、暗い写真を作成してしまうという問題がある。
【０００５】
本発明の課題は、被撮影者の人数や位置に関係なく、良好な写真を作成することができる写真撮影装置を提供することにある。
【課題を解決するための手段】
【０００６】
上記課題を解決するために、請求項１に記載の発明は、
被撮影者の人数を入力するための入力手段と、
閃光を発光して当該光を前記被撮影者に照射する複数のストロボ発光手段と、
前記被撮影者を撮影して画像データを生成する撮影手段と、
前記撮影手段を制御して、前記入力手段により入力された前記被撮影者の人数に応じた所定の設定内容に関する設定値で、前記複数のストロボ発光手段により光が照射された前記被撮影者を撮影させて画像データを生成させる撮影制御手段と、
前記撮影制御手段により制御された前記撮影手段により生成された画像データに基づく写真を作成する作成手段と、
を備えることを特徴とする。
【０００７】
請求項２に記載の発明は、
請求項１に記載の写真撮影装置において、
前記複数のストロボ発光手段をそれぞれ制御して、前記入力手段により入力された前記被撮影者の人数に応じた発光量で、閃光を発光させる発光制御手段を備え、
前記撮影制御手段は、前記撮影手段を制御して、前記入力手段により入力された前記被撮影者の人数に応じた所定の設定内容に関する設定値で、前記発光制御手段により制御された前記複数のストロボ発光手段により光が照射された前記被撮影者を撮影させて画像データを生成させることを特徴とする。
【０００８】
請求項３に記載の発明は、
被撮影者の人数を入力するための入力手段と、
閃光を発光して当該光を前記被撮影者に照射する複数のストロボ発光手段と、
前記複数のストロボ発光手段をそれぞれ制御して、前記入力手段により入力された前記被撮影者の人数に応じた発光量で、閃光を発光させる発光制御手段と、
前記発光制御手段により制御された前記複数のストロボ発光手段により光が照射された前記被撮影者を撮影して画像データを生成する撮影手段と、
前記撮影手段により生成された画像データに基づく写真を作成する作成手段と、
を備えることを特徴とする。
【０００９】
請求項４に記載の発明は、
閃光を発光して当該光を被撮影者に照射する複数のストロボ発光手段と、
前記被撮影者を撮影して画像データを生成する撮影手段と、
前記撮影手段を制御して、所定の設定内容に関する特定の設定値で、前記複数のストロボ発光手段により光が照射された前記被撮影者を撮影させて画像データを生成させる第１撮影制御手段と、
前記第１撮影制御手段により制御された前記撮影手段により生成された画像データを解析して、前記被撮影者の人数及び／又は位置を取得する解析手段と、
前記撮影手段を制御して、前記解析手段により取得された前記被撮影者の人数及び／又は位置に応じた前記所定の設定内容に関する設定値で、前記複数のストロボ発光手段により光が照射された前記被撮影者を撮影させて画像データを生成させる第２撮影制御手段と、
前記第２撮影制御手段により制御された前記撮影手段により生成された画像データに基づく写真を作成する作成手段と、
を備えることを特徴とする。
【００１０】
請求項５に記載の発明は、
請求項４に記載の写真撮影装置において、
前記複数のストロボ発光手段をそれぞれ制御して、特定の発光量で、閃光を発光させる第１発光制御手段と、
前記複数のストロボ発光手段をそれぞれ制御して、前記解析手段により取得された前記被撮影者の人数及び／又は位置に応じた発光量で、閃光を発光させる第２発光制御手段と、
を備え、
第１撮影制御手段は、前記撮影手段を制御して、所定の設定内容に関する特定の設定値で、前記第１発光制御手段により制御された前記複数のストロボ発光手段により光が照射された前記被撮影者を撮影させて画像データを生成させ、
前記第２撮影制御手段は、前記撮影手段を制御して、前記解析手段により取得された前記被撮影者の人数及び／又は位置に応じた前記所定の設定内容に関する設定値で、前記第２発光制御手段により制御された前記複数のストロボ発光手段により光が照射された前記被撮影者を撮影させて画像データを生成させることを特徴とする。
【００１１】
請求項６に記載の発明は、
閃光を発光して当該光を被撮影者に照射する複数のストロボ発光手段と、
前記複数のストロボ発光手段をそれぞれ制御して、特定の発光量で、閃光を発光させる第１発光制御手段と、
前記被撮影者を撮影して画像データを生成する撮影手段と、
前記撮影手段を制御して、前記第１発光制御手段により制御された前記複数のストロボ発光手段により光が照射された前記被撮影者を撮影させて画像データを生成させる第１撮影制御手段と、
前記第１撮影制御手段により制御された前記撮影手段により生成された画像データを解析して、前記被撮影者の人数及び／又は位置を取得する解析手段と、
前記複数のストロボ発光手段をそれぞれ制御して、前記解析手段により取得された前記被撮影者の人数及び／又は位置に応じた発光量で、閃光を発光させる第２発光制御手段と、
前記撮影手段を制御して、前記第２発光制御手段により制御された前記複数のストロボ発光手段により光が照射された前記被撮影者を撮影させて画像データを生成させる第２撮影制御手段と、
前記第２撮影制御手段により制御された前記撮影手段により生成された画像データに基づく写真を作成する作成手段と、
を備えることを特徴とする。
【発明の効果】
【００１２】
請求項１に記載の発明によれば、入力された被撮影者の人数に応じて撮影手段の所定の設定内容に関する設定値を調整することができるため、被撮影者の人数に関係なく、良好な写真を作成することができる。
【００１３】
請求項２に記載の発明によれば、請求項１に記載の発明と同様の効果が得られることは無論のこと、入力された被撮影者の人数に応じて複数のストロボ発光手段により発光される閃光の発光量をそれぞれ調整することができるため、より一層、被撮影者の人数に関係なく、良好な写真を作成することができる。
【００１４】
請求項３に記載の発明によれば、入力された被撮影者の人数に応じて複数のストロボ発光手段により発光される閃光の発光量をそれぞれ調整することができるため、被撮影者の人数に関係なく、良好な写真を作成することができる。
【００１５】
請求項４に記載の発明によれば、第１撮影制御手段によるプレ撮影によって被撮影者の人数及び／又は位置を取得することができ、そして、第２撮影制御手段による本撮影において、当該取得された被撮影者の人数及び／又は位置に応じて撮影手段の所定の設定内容に関する設定値を調整することができるため、被撮影者の人数や位置に関係なく、良好な写真を作成することができる。
【００１６】
請求項５に記載の発明によれば、請求項４に記載の発明と同様の効果が得られることは無論のこと、第２撮影制御手段による本撮影において、第１撮影制御手段によるプレ撮影で取得された被撮影者の人数及び／又は位置に応じて複数のストロボ発光手段により発光される閃光の発光量をそれぞれ調整することができるため、より一層、被撮影者の人数や位置に関係なく、良好な写真を作成することができる。
【００１７】
請求項６に記載の発明によれば、第１撮影制御手段によるプレ撮影によって被撮影者の人数及び／又は位置を取得することができ、そして、第２撮影制御手段による本撮影において、当該取得された被撮影者の人数及び／又は位置に応じて複数のストロボ発光手段により発光される閃光の発光量をそれぞれ調整することができるため、被撮影者の人数や位置に関係なく、良好な写真を作成することができる。
【発明を実施するための最良の形態】
【００１８】
以下、図を参照して、本発明にかかる写真撮影装置としての証明写真撮影装置の最良の形態を詳細に説明する。なお、発明の範囲は図示例に限定されない。
【００１９】
[第１の実施の形態]
まず、第１の実施の形態における証明写真撮影装置１について説明する。
【００２０】
＜証明写真撮影装置の構成＞
まず、証明写真撮影装置１の構成について、図１及び２を参照して説明する。
証明写真撮影装置１は、例えば、図１に示すように、ボックス型に形成されており、例えば、証明写真撮影装置１の外壁には、プリントされた証明写真を取り出すための取出口８１が設置されている。
また、例えば、証明写真撮影装置１の内部には、撮影室１ａが設置されている。
【００２１】
撮影室１ａには、例えば、被撮影者Ｍが座る椅子１ｂが回転可能に備えられており、椅子１ｂは回転によって昇降するように構成されている。
また、例えば、撮影室１ａにおける被撮影者Ｍの正面に相当する位置には、操作手順等の撮影に関する各種画面や撮影された証明写真画像などを表示するための表示部４０と、被撮影者Ｍが撮影室１ａ内に入室したことを検出するための入室センサ５０と、撮影料金を精算するためのコインメック６０と、被撮影者Ｍが操作指示を入力するための操作ボタン７０ａやタッチパネル７０ｂと、などが設置されている。
【００２２】
また、例えば、撮影室１ａ内には、照明用のストロボ２０ａが複数設置されている。具体的には、撮影室１ａ内には、例えば、被撮影者Ｍの上方に相当する位置に設置されたストロボ２０ａ１と、被撮影者Ｍの正面上方に相当する位置に設置されたストロボ２０ａ２と、被撮影者Ｍの正面下方に相当する位置に設置されたストロボ２０ａ３と、被撮影者Ｍの背面に相当する位置に設置されたストロボ２０ａ４と、の４つのストロボ２０ａが設置されている。
【００２３】
なお、図１においては、被撮影者Ｍは１人であるが、被撮影者Ｍの人数は、例えば、撮影室１ａ内に入室可能な人数であれば任意である。
【００２４】
証明写真撮影装置１は、例えば、図２に示すように、本体部１０と、ストロボユニット２０と、デジタルカメラ３０と、表示部４０と、入室センサ５０と、コインメック６０と、操作部７０と、プリンタ部８０と、などを備えて構成されている。
【００２５】
ストロボユニット２０は、例えば、本体部１０から入力される制御信号に従って、撮影室１ａ内の各位置に設置された４つのストロボ２０ａの発光タイミングや発光量を制御する。
【００２６】
４つのストロボ２０ａは、例えば、ストロボ発光手段として、それぞれストロボユニット２０により制御されて、閃光を発光して当該光を被撮影者Ｍに照射する。
【００２７】
デジタルカメラ３０は、例えば、光学レンズと、ＣＣＤ（Charge Coupled Device）や
ＣＭＯＳ（Complementary Metal-Oxide Semiconductor）など撮像素子と、Ａ／Ｄ変換部
と、などから構成されている。
デジタルカメラ３０は、例えば、撮影手段として、本体部１０から入力される制御信号に従って、被撮影者Ｍを撮影して画像データを生成する。
具体的には、デジタルカメラ３０は、例えば、本体部１０から入力される制御信号に従って、光学レンズを介して入力された被写体像を撮像素子により光電変換してアナログ画像信号を生成し、そして、Ａ／Ｄ変換部により当該アナログ画像信号からデジタルの画像データを生成して、当該画像データを本体部１０に出力する。
なお、デジタルカメラ３０に代えて、動画を記録可能なデジタルビデオカメラを適用するようにしてもよい。
【００２８】
表示部４０は、例えば、ＬＣＤ（Liquid Crystal Display）パネル等から構成されており、例えば、本体部１０から入力される表示信号に従って、所与の表示処理を行う。
【００２９】
入室センサ５０は、例えば、被撮影者Ｍが撮影室１ａ内に入室したことを検出するためのものであり、被撮影者Ｍの入室を検出すると、その検出信号を本体部１０に出力する。
なお、入室センサ５０としては、例えば、発光器と受光器とからなる光学式センサ等が適用可能である。
【００３０】
コインメック６０は、例えば、硬貨や紙幣の入金口や釣銭の返金口などを備えた金銭登録機である。コインメック６０は、例えば、入金口から入金された金額に関する情報を本体部１０に出力するとともに、本体部１０から入力された制御信号に従って釣銭額に応じた硬貨や紙幣を返金口に排出する。
【００３１】
操作部７０は、例えば、撮影室１ａの内壁に備えられた操作ボタン７０ａや、表示部４０と一体的に構成されたタッチパネル７０ｂなどから構成されており、例えば、被撮影者Ｍによる操作に伴う押下信号を本体部１０に出力する。
具体的には、操作部７０は、例えば、入力手段として、被撮影者Ｍが、被撮影者Ｍの人数を入力する際に操作される。
【００３２】
プリンタ部８０は、例えば、作成手段として、本体部１０から入力される制御信号に従って、デジタルカメラ３０により生成された画像データに基づく写真を作成する。
なお、プリンタ部８０のプリント方式としては、昇華型熱転写方式や、溶融転写記録方式、電子写真方式、インクジェット方式などを適用してもよいし、その他のプリント方式を適用してもよい。また、銀塩写真像を形成する方式を適用してもよい。
【００３３】
本体部１０は、例えば、制御部１１と、Ｉ／Ｏ（Input/Output）コントロール１２と、Ｉ／Ｆ（InterFace）１３と、ＤＶＤ（Digital Versatile Disk）記憶部１４と、ＲＡＭ（Random Access Memory）１５と、ＲＯＭ（Read Only Memory）１６と、などを備えて構成されている。そして、本体部１０は、例えば、Ｉ／Ｏコントロール１２を介して、ストロボユニット２０や、コインメック６０、操作部７０などと接続しており、Ｉ／Ｆ１３を介して、プリンタ部８０などと接続している。
【００３４】
制御部１１は、例えば、証明写真撮影装置１の各部を集中制御する。
具体的には、制御部１１は、例えば、ＲＯＭ１６に記憶された証明写真撮影装置１用の各種処理プログラムに従って各種の制御動作を行う。
【００３５】
Ｉ／Ｏコントロール１２は、ストロボユニット２０や、コインメック６０、操作部７０などとの間で各種情報を入出力するためのインターフェイスである。
【００３６】
Ｉ／Ｆ１３は、例えば、プリンタ部８０との間で各種情報を入出力するためのインターフェイスである。
【００３７】
ＤＶＤ記憶部１４は、例えば、デジタルカメラ３０により撮影されて生成された画像データと、表示部４０に表示される各種画面の画像データと、などを記憶している。
【００３８】
ＲＡＭ１５は、制御部１１によって実行される処理プログラムなどを展開するためのプログラム格納領域や、入力データや上記処理プログラムが実行される際に生じる処理結果などを格納するデータ格納領域などを備える。
【００３９】
ＲＯＭ１６は、証明写真撮影装置１で実行可能なシステムプログラム、当該システムプログラムで実行可能な各種処理プログラム、これら各種処理プログラムを実行する際に使用されるデータ、制御部１１によって演算処理された処理結果のデータなどを記憶する。なお、プログラムは、コンピュータが読み取り可能なプログラムコードの形でＲＯＭ１６に記憶されている。
具体的には、ＲＯＭ１６は、例えば、発光制御プログラム１６１と、撮影制御プログラム１６２と、作成制御プログラム１６３と、などを記憶している。
【００４０】
発光制御プログラム１６１は、例えば、ストロボユニット２０を介して４つのストロボ２０ａをそれぞれ制御して、被撮影者Ｍによる操作部７０の操作により入力された被撮影者Ｍの人数に応じた発光量で、閃光を発光させる機能を、制御部１１に実現させる。
【００４１】
具体的には、被撮影者Ｍの人数が多くなるほど、例えば、被撮影者Ｍの正面下方に相当する位置に設置されたストロボ２０ａ３や被撮影者Ｍの背面に相当する位置に設置されたストロボ２０ａ４からの光が遮られるため、制御部１１は、例えば、被撮影者Ｍの操作部７０の操作により入力された被撮影者Ｍの人数が多くなるほど、例えば、ストロボ２０ａ３やストロボ２０ａ４の発光量を増加させることによって、４つのストロボ２０ａの発光量をそれぞれ調整する。
すなわち、制御部１１は、プリンタ部８０によって明るさが最適な良好な写真が作成できるよう、４つのストロボ２０ａの発光量をそれぞれ調整する。
制御部１１は、かかる発光制御プログラム１６１を実行することによって、発光制御手段として機能する。
【００４２】
撮影制御プログラム１６２は、例えば、デジタルカメラ３０を制御して、被撮影者Ｍの操作部７０の操作により入力された被撮影者Ｍの人数に応じた所定の設定内容に関する設定値で、発光制御プログラム１６１を実行した制御部１１により制御された４つのストロボ２０ａにより光が照射された被撮影者Ｍを撮影させて画像データを生成させる機能を、制御部１１に実現させる。
ここで、所定の設定内容とは、例えば、ＩＳＯ感度、シャッター速度、ホワイトバランス、ゲイン等である。
【００４３】
具体的には、制御部１１は、例えば、被撮影者Ｍの操作部７０の操作により入力された被撮影者Ｍの人数が多くなるほど、例えば、ＩＳＯ感度を高くさせる、シャッター速度を遅くさせる等することによって、デジタルカメラ３０の所定の設定内容に関する設定値を調整する。
すなわち、制御部１１は、プリンタ部８０によって明るさが最適な良好な写真が作成できるよう、デジタルカメラ３０の所定の設定内容に関する設定値を調整する。
制御部１１は、かかる撮影制御プログラム１６２を実行することによって、撮影制御手段として機能する。
【００４４】
作成制御プログラム１６３は、例えば、プリンタ部８０を制御して、撮影制御プログラム１６２を実行した制御部１１により制御されたデジタルカメラ３０により生成された画像データに基づく写真を作成させる機能を、制御部１１に実現させる。
具体的には、制御部１１は、例えば、デジタルカメラ３０により生成された画像データに、所定の処理を施して写真用画像データを生成し、そして、プリンタ部８０に、当該写真用画像データをプリント出力させて、当該写真用画像データに基づく写真を作成させる。
【００４５】
＜写真作成処理＞
次に、証明写真撮影装置１による写真の作成に関する処理について、図３のフローチャートを参照して説明する。
【００４６】
まず、制御部１１は、入室センサ５０が、被撮影者Ｍが撮影室１ａ内に入室したことを検出すると、照明写真撮影装置１の省エネモードを解除して、撮影室１ａ内の照明を点灯させ、「撮影人数選択画面」を表示部４０に表示させる（ステップＳ１１）。
具体的には、「撮影人数選択画面」では、例えば、操作部７０（例えば、タッチパネル７０ｂ）を操作することによって、被撮影者Ｍの人数が入力することができるようになっている。
【００４７】
次いで、ステップＳ１１にて表示された「撮影人数選択画面」に応じて、被撮影者Ｍによる操作部７０の操作によって、被撮影者Ｍの人数が入力されると（ステップＳ１２）、制御部１１は、料金精算処理を実行する（ステップＳ１３）。
具体的には、制御部１１は、料金精算処理において、まず、規定料金を投入するよう促す画面を表示部４０に表示させる。
次いで、被撮影者Ｍによりコインメック６０に入金されると、制御部１１は、釣銭額を算出し、釣銭がある場合には、コインメック６０に当該釣銭を排出させて、料金の精算を行う。
【００４８】
次いで、制御部１１は、発光制御プログラム１６１を実行して、ストロボユニット２０を介して４つのストロボ２０ａをそれぞれ制御して、ステップＳ１２にて入力された被撮影者Ｍの人数に応じた発光量で、閃光を発光させるとともに（ステップＳ１４）、撮影制御プログラム１６２を実行して、デジタルカメラ３０を制御して、ステップＳ１２にて入力された被撮影者Ｍの人数に応じた所定の設定内容に関する設定値で、被撮影者Ｍを撮影させて（ステップＳ１５）、画像データを生成させる（ステップＳ１６）。
【００４９】
次いで、制御部１１は、作成制御プログラム１６３を実行して、プリンタ部８０を制御して、ステップＳ１６にて生成された画像データに基づく写真を作成させ（ステップＳ１７）、当該作成された写真を取出口８１から排出させて、本処理を終了する。
【００５０】
以上説明した第１の実施の形態における証明写真撮影装置１によれば、被撮影者Ｍの操作部７０の操作によって、被撮影者Ｍの人数を入力することができ、複数のストロボ２０ａによって、閃光を発光して当該光を被撮影者Ｍに照射することができ、デジタルカメラ３０によって、被撮影者Ｍを撮影して画像データを生成することができ、撮影制御プログラム１６２を実行した制御部１１によって、デジタルカメラ３０を制御して、被撮影者Ｍの操作部７０の操作により入力された被撮影者Ｍの人数に応じた所定の設定内容に関する設定値で、複数のストロボ２０ａにより光が照射された被撮影者Ｍを撮影させて画像データを生成させることができ、プリンタ部８０によって、撮影制御プログラム１６２を実行した制御部１１により制御されたデジタルカメラ３０により生成された画像データに基づく写真を作成することができる。
すなわち、入力された被撮影者Ｍの人数に応じてデジタルカメラ３０の所定の設定内容に関する設定値を調整することができるため、被撮影者Ｍの人数に関係なく、良好な写真を作成することができる。
【００５１】
また、発光制御プログラム１６１を実行した制御部１１によって、複数のストロボ２０ａをそれぞれ制御して、被撮影者Ｍの操作部７０の操作により入力された被撮影者Ｍの人数に応じた発光量で、閃光を発光させることができ、撮影制御プログラム１６１を実行した制御部１１によって、デジタルカメラ３０を制御して、被撮影者Ｍの操作部７０の操作により入力された被撮影者Ｍの人数に応じた所定の設定内容に関する設定値で、発光制御プログラム１６１を実行した制御部１１により制御された複数のストロボ２０ａにより光が照射された被撮影者Ｍを撮影させて画像データを生成させることができる。
すなわち、入力された被撮影者Ｍの人数に応じて複数のストロボ２０ａにより発光される閃光の発光量をそれぞれ調整することができるため、より一層、被撮影者Ｍの人数に関係なく、良好な写真を作成することができる。
【００５２】
[第２の実施の形態]
次に、第２の実施の形態における証明写真撮影装置１Ａについて説明する。
【００５３】
＜証明写真撮影装置の構成＞
まず、証明写真撮影装置１Ａの構成について、図４及び５を参照して説明する。
なお、第２の実施の形態の証明写真撮影装置１Ａは，被撮影者Ｍの人数等を取得する構成のみが第１の実施の形態の証明写真撮影装置１（図１及び２）と異なる。具体的には、証明写真撮影装置１（図１及び２）における操作部７０及び本体部１０の構成の一部が異なる。したがって、異なる箇所のみについて説明し、その他の共通する部分は同一符号を付して説明する。
【００５４】
証明写真撮影装置１Ａは、例えば、図５に示すように、本体部１０Ａと、ストロボユニット２０と、デジタルカメラ３０と、表示部４０と、入室センサ５０と、コインメック６０と、操作部７０Ａと、プリンタ部８０と、などを備えて構成されている。
【００５５】
操作部７０Ａは、例えば、撮影室１ａの内壁に備えられた操作ボタン７０ａや、表示部４０と一体的に構成されたタッチパネル７０ｂなどから構成されており、例えば、被撮影者Ｍによる操作に伴う押下信号を本体部１０Ａに出力する。
【００５６】
本体部１０Ａは、例えば、制御部１１と、Ｉ／Ｏコントロール１２と、Ｉ／Ｆ１３と、ＤＶＤ記憶部１４と、ＲＡＭ１５と、ＲＯＭ１６Ａと、などを備えて構成されている。
【００５７】
ＲＯＭ１６Ａは、証明写真撮影装置１Ａで実行可能なシステムプログラム、当該システムプログラムで実行可能な各種処理プログラム、これら各種処理プログラムを実行する際に使用されるデータ、制御部１１によって演算処理された処理結果のデータなどを記憶する。なお、プログラムは、コンピュータが読み取り可能なプログラムコードの形でＲＯＭ１６Ａに記憶されている。
具体的には、ＲＯＭ１６Ａは、例えば、第１発光制御プログラム１６４Ａと、第１撮影制御プログラム１６５Ａと、解析プログラム１６６Ａと、第２発光制御プログラム１６１Ａと、第２撮影制御プログラム１６２Ａと、作成制御プログラム１６３Ａと、などを記憶している。
【００５８】
第１発光制御プログラム１６４Ａは、例えば、ストロボユニット２０を介して４つのストロボ２０ａをそれぞれ制御して、特定の発光量で、閃光を発光させる機能を、制御部１１に実現させる。
ここで、特定の発光量とは、例えば、予め設定された発光量である。
制御部１１は、かかる第１発光制御プログラム１６４Ａを実行することによって、第１発光制御手段として機能する。
【００５９】
第１撮影制御プログラム１６５Ａは、例えば、デジタルカメラ３０を制御して、所定の設定内容に関する特定の設定値で、第１発光制御プログラム１６４Ａを実行した制御部１１により制御された４つのストロボ２０ａにより光が照射された被撮影者Ｍを撮影させて画像データを生成させる機能を、制御部１１に実現させる。
ここで、所定の設定内容に関する特定の設定値とは、例えば、予め設定された所定の設定内容に関する設定値である。
また、第１撮影制御プログラム１６５Ａを実行した制御部１１により制御されたデジタルカメラ３０による撮影は、いわゆるプレ撮影である。
制御部１１は、かかる第１撮影制御プログラム１６５Ａを実行することによって、第１撮影制御手段として機能する。
【００６０】
解析プログラム１６６Ａは、例えば、第１撮影制御プログラム１６５Ａを実行した制御部１１により制御されたデジタルカメラ３０により生成された画像データを解析して、被撮影者Ｍの人数及び位置や４つのストロボ２０ａからの配光の分布を取得する機能を、制御部１１に実現させる。
【００６１】
具体的には、制御部１１は、例えば、被撮影者Ｍの生体情報（例えば、瞳の数及び位置）に基づいて被撮影者Ｍの顔の個数及び位置を検出する、顔の形状モデルに基づいて顔の個数及び位置を検出する、クロマキー処理により顔の個数及び位置を検出する等の公知の方法によって、画像データを解析して、被撮影者Ｍの人数及び位置を取得する。
また、制御部１１は、例えば、画像データの輝度等を解析して、被撮影者Ｍに照射された光の分布を取得する。
制御部１１は、かかる解析プログラム１６６Ａを実行することによって解析手段として機能する。
【００６２】
第２発光制御プログラム１６１Ａは、例えば、ストロボユニット２０を介して４つのストロボ２０ａをそれぞれ制御して、解析プログラム１６６Ａを実行した制御部１１により取得された被撮影者Ｍの人数及び位置や４つのストロボ２０ａからの配光の分布に応じた発光量で、閃光を発光させる機能を、制御部１１に実現させる。
【００６３】
具体的には、被撮影者Ｍの人数が複数の場合や、被撮影者Ｍの顔の位置が特定位置からずれている場合は、例えば、ストロボ２０ａからの光が遮られたり、或いは、ストロボ２０ａからの配光が偏るため、制御部１１は、例えば、解析プログラム１６６Ａを実行した制御部１１により取得された被撮影者Ｍの人数及び位置や４つのストロボ２０ａからの配光の分布に応じて、４つのストロボ２０ａの発光量をそれぞれ調整する。
すなわち、制御部１１は、プリンタ部８０によって明るさが最適であり、且つ、明るさに偏りのない良好な写真が作成できるよう、４つのストロボ２０ａの発光量をそれぞれ調整する。
制御部１１は、かかる第２発光制御プログラム１６１Ａを実行することによって、第２発光制御手段として機能する。
【００６４】
第２撮影制御プログラム１６２Ａは、例えば、デジタルカメラ３０を制御して、解析プログラム１６６Ａを実行した制御部１１により取得された被撮影者Ｍの人数及び位置に応じた所定の設定内容に関する設定値で、第２発光制御プログラム１６１Ａを実行した制御部１１により制御された４つのストロボ２０ａにより光が照射された被撮影者Ｍを撮影させて画像データを生成させる機能を、制御部１１に実現させる。
ここで、第２撮影制御プログラム１６２Ａを実行した制御部１１により制御されたデジタルカメラ３０による撮影は、いわゆる本撮影である。
【００６５】
具体的には、制御部１１は、例えば、被撮影者Ｍの操作部７０の操作により入力された被撮影者Ｍの人数が多くなるほど、例えば、ＩＳＯ感度を高くさせる、シャッター速度を遅くさせる等することによって、デジタルカメラ３０の所定の設定内容に関する設定値を調整する。
すなわち、制御部１１は、プリンタ部８０によって明るさが最適な良好な写真が作成できるよう、デジタルカメラ３０の所定の設定内容に関する設定値を調整する。
制御部１１は、かかる第２撮影制御プログラム１６２Ａを実行することによって、第２撮影制御手段として機能する。
【００６６】
作成制御プログラム１６３Ａは、例えば、プリンタ部８０を制御して、第２撮影制御プログラム１６２Ａを実行した制御部１１により制御されたデジタルカメラ３０により生成された画像データに基づく写真を作成させる機能を、制御部１１に実現させる。
【００６７】
＜写真作成処理＞
次に、証明写真撮影装置１Ａによる写真の作成に関する処理について、図６のフローチャートを参照して説明する。
【００６８】
まず、制御部１１は、入室センサ５０が、被撮影者Ｍが撮影室１ａ内に入室したことを検出すると、照明写真撮影装置１の省エネモードを解除して、撮影室１ａ内の照明を点灯させ、料金精算処理を実行する（ステップＳ２１）。
【００６９】
次いで、制御部１１は、第１発光制御プログラム１６４Ａを実行して、ストロボユニット２０を介して４つのストロボ２０ａをそれぞれ制御して、特定の発光量で、閃光を発光させるとともに（ステップＳ２２）、第１撮影制御プログラム１６５Ａを実行して、デジタルカメラ３０を制御して、所定の設定内容に関する特定の設定値で、被撮影者Ｍを撮影（プレ撮影）させて（ステップＳ２３）、画像データを生成させる（ステップＳ２４）。
【００７０】
次いで、制御部１１は、解析プログラム１６６Ａを実行して、ステップＳ２４にて生成された画像データを解析して、被撮影者Ｍの人数及び位置や４つのストロボ２０ａからの配光の分布を取得する（ステップＳ２５）。
【００７１】
次いで、制御部１１は、第２発光制御プログラム１６１Ａを実行して、ストロボユニット２０を介して４つのストロボ２０ａをそれぞれ制御して、ステップＳ２５にて取得された被撮影者Ｍの人数及び位置や４つのストロボ２０ａからの配光の分布に応じた発光量で、閃光を発光させるとともに（ステップＳ２６）、第２撮影制御プログラム１６２Ａを実行して、デジタルカメラ３０を制御して、ステップＳ２５にて取得された被撮影者Ｍの人数及び位置に応じた所定の設定内容に関する設定値で、被撮影者Ｍを撮影（本撮影）させて（ステップＳ２７）、画像データを生成させる（ステップＳ２８）。
【００７２】
次いで、制御部１１は、作成制御プログラム１６３Ａを実行して、プリンタ部８０を制御して、ステップＳ２８にて生成された画像データに基づく写真を作成させ（ステップＳ２９）、当該作成された写真を取出口８１から排出させて、本処理を終了する。
【００７３】
以上説明した第２の実施の形態における証明写真撮影装置１Ａによれば、第１撮影制御プログラム１６５Ａを実行した制御部１１によって、デジタルカメラ３０を制御して、所定の設定内容に関する特定の設定値で、複数のストロボ２０ａにより光が照射された被撮影者Ｍを撮影させて画像データを生成させることができ、解析プログラム１６６Ａを実行した制御部１１によって、第１撮影制御プログラム１６５Ａを実行した制御部１１により制御されたデジタルカメラ３０により生成された画像データを解析して、被撮影者Ｍの人数及び位置や複数のストロボ２０ａからの配光の分布を取得することができ、第２撮影制御プログラム１６２Ａを実行した制御部１１によって、デジタルカメラ３０を制御して、解析プログラム１６６Ａを実行した制御部１１により取得された被撮影者Ｍの人数及び位置や複数のストロボ２０ａからの配光の分布に応じた所定の設定内容に関する設定値で、複数のストロボ２０ａにより光が照射された被撮影者Ｍを撮影させて画像データを生成させることができ、プリンタ部８０によって、第２撮影制御プログラム１６２Ａを実行した制御部１１により制御されたデジタルカメラ３０により生成された画像データに基づく写真を作成することができる。
すなわち、プレ撮影によって被撮影者Ｍの人数及び位置を取得することができ、そして、本撮影において、当該取得された被撮影者Ｍの人数及び位置や複数のストロボ２０ａからの配光の分布に応じてデジタルカメラ３０の所定の設定内容に関する設定値を調整することができるため、被撮影者Ｍの人数や位置に関係なく、良好な写真を作成することができる。
【００７４】
また、第１発光制御プログラム１６４Ａを実行した制御部１１によって、複数のストロボ２０ａをそれぞれ制御して、特定の発光量で、閃光を発光させることができ、第２発光制御プログラム１６１Ａを実行した制御部１１によって、複数のストロボ２０ａをそれぞれ制御して、解析プログラム１６６Ａを実行した制御部１１により取得された被撮影者Ｍの人数及び位置や複数のストロボ２０ａからの配光の分布に応じた発光量で、閃光を発光させることができ、第１撮影制御プログラム１６５Ａを実行した制御部１１によって、デジタルカメラ３０を制御して、所定の設定内容に関する特定の設定値で、第１発光制御プログラム１６４Ａを実行した制御部１１により制御された複数のストロボ２０ａにより光が照射された被撮影者Ｍを撮影させて画像データを生成させることができ、第２撮影制御プログラム１６２Ａを実行した制御部１１によって、デジタルカメラ３０を制御して、解析プログラム１６６Ａを実行した制御部１１により取得された被撮影者Ｍの人数及び位置や複数のストロボ２０ａからの配光の分布に応じた所定の設定内容に関する設定値で、第２発光制御プログラム１６１Ａを実行した制御部１１により制御された複数のストロボ２０ａにより光が照射された被撮影者Ｍを撮影させて画像データを生成させることができる。
すなわち、本撮影において、プレ撮影で取得された被撮影者Ｍの人数及び位置や複数のストロボ２０ａからの配光の分布に応じて複数のストロボ２０ａにより発光される閃光の発光量をそれぞれ調整することができるため、より一層、被撮影者Ｍの人数や位置に関係なく、良好な写真を作成することができる。
【００７５】
なお、本発明は、上記した実施の形態のものに限るものではなく、その要旨を逸脱しない範囲で適宜変更可能である。
【００７６】
例えば、第１及び第２の実施の形態において、撮影室１ａ内に４つのストロボ２０ａを設置するようにしたが、撮影室１ａ内に設置されるストロボ２０ａの個数は、複数であれば任意である。
【００７７】
例えば、第１及び第２の実施の形態において、被撮影者Ｍの人数等に応じて、デジタルカメラ３０の所定の設定内容に関する設定値と、複数のストロボ２０ａの発光量と、の２つを調整するようにしたが、デジタルカメラ３０の所定の設定内容に関する設定値だけを調整するようにしてもよいし、或いは、複数のストロボ２０ａの発光量だけを調整するようにしてもよい。
【００７８】
例えば、第２の実施の形態において、デジタルカメラ３０により生成された画像データを解析して、被撮影者Ｍの人数及び位置を取得するようにしたが、被撮影者Ｍの人数だけを取得するようにしてもよいし、或いは、被撮影者Ｍの位置だけを取得するようにしてもよい。被撮影者Ｍの人数だけを取得する場合は、被撮影者Ｍの人数に応じて、デジタルカメラ３０の所定の設定内容に関する設定値や複数のストロボ２０ａの発光量が調整されることになり、被撮影者Ｍの位置だけを取得する場合は、被撮影者Ｍの位置に応じて、デジタルカメラ３０の所定の設定内容に関する設定値や複数のストロボ２０ａの発光量が調整されることになる。
【００７９】
例えば、第１及び第２の実施の形態において、写真撮影装置として証明写真撮影装置１，１Ａを例示したが、写真撮影装置は、プリントシール機等であってもよい。
【図面の簡単な説明】
【００８０】
【図１】第１の実施の形態にかかる証明写真撮影装置を示す透視図である。
【図２】第１の実施の形態にかかる証明写真撮影装置の機能的構成を示すブロック図である。
【図３】第１の実施の形態にかかる証明写真撮影装置による写真の作成に関する処理について説明するためのフローチャートである。
【図４】第２の実施の形態にかかる証明写真撮影装置を示す透視図である。
【図５】第２の実施の形態にかかる証明写真撮影装置の機能的構成を示すブロック図である。
【図６】第２の実施の形態にかかる証明写真撮影装置による写真の作成に関する処理について説明するためのフローチャートである。
【符号の説明】
【００８１】
１，１Ａ  証明写真撮影装置（写真撮影装置）
１１  制御部（撮影制御手段、発光制御手段、第１撮影制御手段、第１発光制御手段、解析手段、第２発光制御手段、第２撮影制御手段）
２０ａ  ストロボ（ストロボ発光手段）
３０  デジタルカメラ（撮影手段）
７０  操作部（入力手段）
８０  プリンタ部（作成手段）
１６１  発光制御プログラム（発光制御手段）
１６２  撮影制御プログラム（撮影制御手段）
１６１Ａ  第２発光制御プログラム（第２発光制御手段）
１６２Ａ  第２撮影制御プログラム（第２撮影制御手段）
１６４Ａ  第１発光制御プログラム（第１発光制御手段）
１６５Ａ  第１撮影制御プログラム（第１撮影制御手段）
１６６Ａ  解析プログラム（解析手段）
Ｍ  被撮影者
【図１】
2007322509.tif 000003
【図２】
2007322509.tif 000004
【図３】
2007322509.tif 000005
【図４】
2007322509.tif 000006
【図５】
2007322509.tif 000007
【図６】
2007322509.tif 000008